(57)【要約】      （修正有）【課題】日々の便状態を把握することで患者の体調改善に役立てることが可能な医療用記録シートを提供する。【解決手段】患者の便状態を記入するための医療用記録シート１０は、横方向に並んで配置される複数の日付記入部４１と、複数の日付記入部４１の下部に設けられ、日毎に便状態を記入するための複数の便状態記入部４２と、を備え、便状態記入部４２は、便状態に応じた複数の区分から選択して記入できるように構成されるとともに、前記複数の区分に対応して、各状態の便を表現した図形が便状態記入部４２と並んで配置されており、前記複数の区分に対応した複数の記号が、縦方向に並んで配置されている。【選択図】図１
0003212680.tif 000002
【実用新案登録請求の範囲】
【請求項１】
患者の栄養と消化の状態を記入するための医療用記録シートであって、
複数の日付記入部と、
日毎に便状態を記入するための複数の便状態記入部と、を備える、
ことを特徴とする医療用記録シート。
【請求項２】
請求項１記載の医療用記録シートにおいて、
注入した栄養食の量を日毎に記入するための複数の栄養食量記入部を備える、
ことを特徴とする医療用記録シート。
【請求項３】
請求項１又は２記載の医療用記録シートにおいて、
前記便状態記入部は、便状態に応じた複数の区分から選択して記入できるように構成されている、
ことを特徴とする医療用記録シート。
【請求項４】
請求項３記載の医療用記録シートにおいて、
前記複数の区分に対応して、各状態の便を表現した図形が前記便状態記入部と並んで配置されている、
ことを特徴とする医療用記録シート。
【請求項５】
請求項３又は４記載の医療用記録シートにおいて、
前記複数の日付記入部は、横方向に並んで配置され、
前記複数の区分に対応した複数の記号が、縦方向に並んで配置されている、
ことを特徴とする医療用記録シート。
【請求項６】
請求項１〜５のいずれか１項に記載の医療用記録シートにおいて、
前記便状態記入部は、１日につき複数回分の便状態を記入できるように構成されている
ことを特徴とする医療用記録シート。
【請求項７】
請求項１〜６のいずれか１項に記載の医療用記録シートにおいて、
便状態に関する前記複数の区分を説明した便状態区分説明部を備える、
ことを特徴とする医療用記録シート。
【請求項８】
請求項７記載の医療用記録シートにおいて、
前記便状態区分説明部は、前記便状態記入部に近接して、前記便状態記入部よりも下方に配置されている、
ことを特徴とする医療用記録シート。
【請求項９】
請求項１〜８のいずれか１項に記載の医療用記録シートにおいて、
便状態に基づいて決定された便状態関連指数を日毎に記入するためのグラフ記入部を備える、
ことを特徴とする医療用記録シート。
【請求項１０】
請求項９記載の医療用記録シートにおいて、
前記グラフ記入部には、前記便状態関連指数の目標領域が設定されている、
ことを特徴とする医療用記録シート。
【考案の詳細な説明】
【技術分野】
【０００１】
本考案は、患者の栄養と消化の状態を記入するための医療用記録シートに関する。
【背景技術】
【０００２】
医療機関において、自身で食事をとることができない入院患者に対し、液状栄養食（流動食）を、胃瘻等を用いて注入（経管投与）することが行われている（例えば、下記特許文献１参照）。
【先行技術文献】
【特許文献】
【０００３】
【特許文献１】特開２０１４−１８８３１６号公報
【考案の概要】
【考案が解決しようとする課題】
【０００４】
液状栄養食を用いた場合、合併症が生じやすく、患者の便（大便）の状態が変化しやすい。一方、患者から排出される便の状態を把握することにより、患者の体調改善に役立てることができれば便利である。
【０００５】
本考案はこのような課題を考慮してなされたものであり、日々の便状態を把握することで患者の体調改善に役立てることが可能な医療用記録シートを提供することを目的とする。
【課題を解決するための手段】
【０００６】
上記の目的を達成するため、本考案は、患者の栄養と消化の状態を記入するための医療用記録シートであって、複数の日付記入部と、日毎に便状態を記入するための複数の便状態記入部と、を備える。
【０００７】
本考案に係る医療用記録シートによれば、記入結果に基づいて、複数日に亘って便状態を把握することができる。従って、医療用記録シートは、便状態を改善するために有効利用することができる。
【０００８】
注入した栄養食の量を日毎に記入するための複数の栄養食量記入部を備えてもよい。
【０００９】
これにより、患者に注入した栄養食の量と便状態との関係を考慮して、栄養食を量的又は質的に調整して栄養と消化の状態を良好な状態にするために役立てることができる。
【００１０】
前記便状態記入部は、便状態に応じた複数の区分から選択して記入できるように構成されていてもよい。
【００１１】
これにより、便状態を簡単に記入することができる。
【００１２】
前記複数の区分に対応して、各状態の便を表現した図形が前記便状態記入部と並んで配置されていてもよい。
【００１３】
これにより、選択すべき便状態の区分を的確かつ簡単に判断することができる。
【００１４】
前記複数の日付記入部は、横方向に並んで配置され、前記複数の区分に対応した複数の記号が、縦方向に並んで配置されていてもよい。
【００１５】
これにより、便状態を日毎に記入しやすいレイアウトとなっている。
【００１６】
前記便状態記入部は、１日につき複数回分の便状態を記入できるように構成されていてもよい。
【００１７】
これにより、１日に複数回の排便がある場合でも、各排便時の便状態を漏れなく記録することができる。
【００１８】
便状態に関する前記複数の区分を説明した便状態区分説明部を備えてもよい。
【００１９】
便状態区分説明部を参照することにより、選択すべき便状態の区分をより的確かつ簡単に判断することができる。
【００２０】
前記便状態区分説明部は、前記便状態記入部に近接して、前記便状態記入部よりも下方に配置されていてもよい。
【００２１】
これにより、便状態記入部に記入する際に、便状態区分説明部を参照しやすいレイアウトとなっている。
【００２２】
便状態に基づいて決定された便状態関連指数を日毎に記入するためのグラフ記入部を備えてもよい。
【００２３】
グラフ記入部を用いてグラフを作成することにより便状態の推移が視覚化され、摂取した栄養食と便状態の変化との関係を容易に把握することができる。
【００２４】
前記グラフ記入部には、前記便状態関連指数の目標領域が設定されていてもよい。
【００２５】
これにより、日々の便状態を把握しやすいとともに、便状態改善のための対策の方向性を検討しやすい。
【考案の効果】
【００２６】
本考案によれば、日々の便状態を把握することで患者の体調改善に役立てることが可能な医療用記録シートが提供される。
【図面の簡単な説明】
【００２７】
【図１】本考案の実施形態に係る医療用記録シートの全体平面図である。
【図２】便情報記入欄（記入例）の一部省略拡大図である。
【図３】グラフ記入部（記入例）の拡大図である。
【考案を実施するための形態】
【００２８】
以下、本考案に係る医療用記録シートについて好適な実施形態を挙げ、添付の図面を参照しながら説明する。
【００２９】
図１に示す本考案の実施形態に係る医療用記録シート１０は、例えば、病院等の医療機関において、自身で通常の食事をとることができないために、液状、とろみ状または半固形状の栄養食（以下、単に「栄養食」という）の注入によって栄養を摂取している患者を対象に、当該患者の日々の大便の状態（以下、「便状態」という）を記入するために使用される。
【００３０】
この医療用記録シート１０は、患者情報記入欄２０と、使用栄養食情報記入欄３０と、便情報記入欄４０と、便状態区分説明部５０と、グラフ記入部６０とを備える。医療用記録シート１０は、紙製であるとよい。なお、医療用記録シート１０は、他の素材（樹脂等）により構成されてもよい。
【００３１】
患者情報記入欄２０は、医療用記録シート１０を用いて記入がなされる対象者（患者）に関する情報を記入するための欄である。本実施形態では、患者情報記入欄２０には、対象の患者が入院している病棟、診療科、患者の名前、年齢、性別、主病名、身長、体重、疾患、下腿周囲長、エネルギー量及び食事内容をそれぞれ記入する欄が設けられている。
【００３２】
なお、「エネルギー量」の欄２１には、対象患者の１日当たりの適正摂取エネルギー量（ｋｃａｌ）が記入される。「食事内容」の欄２２は、対象患者が通常の食品（例えば、プリン、ヨーグルト等）を併用して摂取している場合に使用される。食事内容の欄２２には、複数の矢印２０ａが間隔を置いて表示されている。医療用記録シート１０の記録期間中に摂取する食品に変更があった場合には、矢印２０ａの右側に変更後の食品名を記入することで、期間中の食品の変化も記録することができる。
【００３３】
使用栄養食情報記入欄３０は、一般的によく使用されている複数の栄養食の商品名が予め列記された欄３２〜３４を有する。各商品名の左側にチェックボックス３２ａ、３３ａ、３４ａが設けられているため、医療用記録シート１０のユーザ（医療従事者）は、チェックボックス３２ａ、３３ａ、３４ａのいずれかにチェックマークを付けるだけで、どの栄養食を使用したのかを簡単に記録することができる。なお、使用栄養食情報記入欄３０に商品名が列挙されていない栄養食を使用する場合は、「その他」の欄３１のチェックボックス３１ａにチェックマークを付けて、使用する栄養剤の商品名を記入すればよい。
【００３４】
便情報記入欄４０は、日付、便状態、その他患者の体調に関連した情報を記入するための欄であり、本実施形態では複数の縦罫線４０ａ及び複数の横罫線４０ｂによって区切られた多数のセルを有する表形態となっている。便情報記入欄４０は、複数の日付記入部４１と、各日付記入部４１に対応して患者の便状態を記入するための複数の便状態記入部４２とを備える。図２（記入例）に示すように、複数の日付記入部４１は横方向に並んで配置されている。日付記入部４１の数（記入可能日数）は、例えば、３〜１０（３〜１０日分）であり、好ましくは本実施形態のように７（７日分）である。
【００３５】
便状態記入部４２は、便状態に応じた複数の区分（本実施形態では、７区分）から選択して記入できるように構成されている。具体的に、便状態記入部４２では、各区分に対応した記号として、数字の１〜７が表示されている。便状態の記録に際しては、例えば図２に示すように、いずれかの区分記号に丸印を付ければよい。
【００３６】
１〜７の区分記号は、縦方向に並んで配置されている。このように７段階で便状態を評価する方法は「ブリストルスケール」と呼ばれるものであり、数値が小さいほど硬い便であり、数値が大きいほど軟らかい（水っぽい）便であることを示す。以下、便宜上、当該数値を「ブリストルスケール値」という。
【００３７】
本実施形態では、各便状態記入部４２は、１日につき複数回分の便状態を記録できるように、横方向に複数に分割されている。具体的に、便状態記入部４２は１日当たり４回分の排便に対応できるようになっている。なお、１日当たりに記録できる便状態の回数は、４回に限らず、１回のみ、あるいは５回以上であってもよい。
【００３８】
便情報記入欄４０では、上記複数の区分に対応して、各状態の便を表現した図形Ｆ１〜Ｆ７が便状態記入部４２と並んで配置されている。図形Ｆ１〜Ｆ７は、形状及び色彩が互いに異なっている。図形Ｆ１〜Ｆ７は、１〜７の区分記号に対応している。区分記号の数値が小さいほど、対応する図形は暗い色（黒っぽい色）であり、区分記号の数値が大きいほど、対応する図形は明るい色（白っぽい色）となっている。
【００３９】
図１に示すように、便情報記入欄４０は、さらに、注入した栄養食の量を日毎に記入するための複数の栄養食量記入部４３を備える。各栄養食量記入部４３は、使用した栄養食のエネルギー量及び数を記録できるようになっている。３００ｋｃａｌと４００ｋｃａｌの栄養食が比較的多く流通しているため、本実施形態では、各栄養食量記入部４３に「３００ｋｃａｌ」及び「４００ｋｃａｌ」の文字が予め表示されている。
【００４０】
便情報記入欄４０には、さらに、常用下剤の有無を記入するための欄４４、排便回数を記入するための欄４５、喀痰吸引回数を記入するための欄４６、便ｐＨを記入するための欄４７及び早朝喀痰検出を記入するための欄４８が設けられている。また、便情報記入欄４０において、便状態記入部４２の下部には、備考欄４９が設けられている。なお、欄４４〜４９の一部又は全部は、必要に応じて省略してもよい。
【００４１】
便状態区分説明部５０は、便状態に関する上記複数の区分を説明したブリストルスケール表である。本実施形態では、便状態区分説明部５０は、便状態記入部４２に近接して、便状態記入部４２よりも下方に配置されており、具体的には、便情報記入欄４０とグラフ記入部６０との間に配置されている。
【００４２】
便状態区分説明部５０では、上述した図形Ｆ１〜Ｆ７と同じ図形群５１と、それらに対応する区分記号（数字１〜７）及びそれらの簡単な定義５１ａとが並べて表示されている。また、便状態区分説明部５０では、右側に、区分記号毎の便状態の具体的な説明５２が記載されている。なお、便状態区分説明部５０はなくてもよい。
【００４３】
グラフ記入部６０は、便状態に基づいて決定された便状態関連指数を日毎に記入するための部分である。図３に記入例を示す。本実施形態では、便状態関連指数は、１日当たりの区分記号（具体的には、ブリストルスケール値）の合計である。横軸ａが日付であり、縦軸ｂが区分記号の合計値（ブリストルスケール合計値）である。便状態関連指数をグラフ記入部６０に日毎に記入することで、グラフを作成することができる。作成するグラフは、図示例のように折れ線グラフに限らず、棒グラフであってもよい。なお、１日につき複数回の排便がある場合には、毎回の区分記号の数値を記入できるように構成されていてもよい。
【００４４】
グラフ記入部６０には、便状態関連指数の目標領域６３が設定されている。本実施形態では、目標領域６３の範囲は、縦軸ｂ（区分記号の合計値）の５〜１５の範囲に設定されている。目標領域６３は、医療用記録シート１０の背景色とは異なる色で表示された領域である。なお、グラフ記入部６０は、便情報記入欄４０と便状態区分説明部５０との間に配置されていてもよい。グラフ記入部６０はなくてもよい。
【００４５】
上記のように構成された本実施形態に係る医療用記録シート１０は、以下の効果を奏する。
【００４６】
図１に示すように、医療用記録シート１０は、複数の日付記入部４１と、日毎に便状態を記入するための複数の便状態記入部４２とを備える。このため、医療用記録シート１０への記入結果に基づいて、複数日に亘って便状態を把握することができる。従って、医療用記録シート１０は、便状態を改善するために有効利用することができる。
【００４７】
医療用記録シート１０は、注入した栄養食の量を日毎に記入するための複数の栄養食量記入部４３を備える。これにより、患者に注入した栄養食の量と便状態との関係を考慮して、栄養食を量的又は質的に調整して栄養と消化の状態を良好な状態にするために役立てることができる。例えば、便が軟らかめである場合には、食物繊維を多くしたり水分量を減らしたりした栄養食に変更する等の対策をとることができる。逆に、便が硬めである場合には、水分量を多くした栄養食に変更する等の対策をとることができる。
【００４８】
便状態記入部４２は、便状態に応じた複数の区分から選択して記入できるように構成されている。これにより、便状態を簡単に記入することができる。
【００４９】
図２に示すように、複数の区分に対応して、各状態の便を表現した図形Ｆ１〜Ｆ７が便状態記入部４２と並んで配置されている。これにより、選択すべき便状態の区分を的確かつ簡単に判断することができる。
【００５０】
複数の日付記入部４１は、横方向に並んで配置され、複数の区分に対応した複数の記号が、縦方向に並んで配置されている。これにより、便状態を日毎に記入しやすいレイアウトとなっている。
【００５１】
便状態記入部４２は、１日につき複数回分の便状態を記入できるように構成されている。これにより、１日に複数回の排便がある場合でも、各排便時の便状態を漏れなく記録することができる。
【００５２】
図１に示すように、医療用記録シート１０は、便状態に関する複数の区分を説明した便状態区分説明部５０を備える。便状態区分説明部５０を参照することにより、選択すべき便状態の区分をより的確かつ簡単に判断することができる。
【００５３】
便状態区分説明部５０は、便状態記入部４２に近接して、便状態記入部４２よりも下方に配置されている。これにより、便状態記入部４２に記入する際に、便状態区分説明部５０を参照しやすいレイアウトとなっている。
【００５４】
医療用記録シート１０は、便状態に基づいて決定された便状態関連指数を日毎に記入するためのグラフ記入部６０を備える。グラフ記入部６０を用いてグラフを作成することにより便状態の推移が視覚化され、摂取した栄養食と便状態の変化との関係を容易に把握することができる。
【００５５】
グラフ記入部６０には、便状態関連指数の目標領域６３が設定されている。これにより、日々の便状態を把握しやすいとともに、便状態改善のための対策の方向性を検討しやすい。
【００５６】
本考案は上述した実施形態に限定されるものではなく、本考案の要旨を逸脱しない範囲において、種々の改変が可能である。
【符号の説明】
【００５７】
１０…医療用記録シート                  ４１…日付記入部
４２…便状態記入部                      ４３…栄養食量記入部
５０…便状態区分説明部                  ６０…グラフ記入部
【図１】
0003212680.tif 000003
【図２】
0003212680.tif 000004
【図３】
0003212680.tif 000005
【手続補正書】
【提出日】平成29年7月31日(2017.7.31)
【手続補正１】
【補正対象書類名】明細書
【補正対象項目名】０００６
【補正方法】変更
【補正の内容】
【０００６】
上記の目的を達成するため、本考案は、患者の栄養と消化の状態を記入するための医療用記録シートであって、横方向に並んで配置される複数の日付記入部と、前記複数の日付記入部の下部に設けられ、日毎に便状態を記入するための複数の便状態記入部と、を備え、前記便状態記入部は、便状態に応じた複数の区分から選択して記入できるように構成されるとともに、前記複数の区分に対応して、各状態の便を表現した図形が前記便状態記入部と並んで配置されており、前記複数の区分に対応した複数の記号が、縦方向に並んで配置されている。
【手続補正２】
【補正対象書類名】明細書
【補正対象項目名】０００７
【補正方法】変更
【補正の内容】
【０００７】
本考案に係る医療用記録シートによれば、記入結果に基づいて、複数日に亘って便状態を把握することができる。従って、医療用記録シートは、便状態を改善するために有効利用することができる。前記便状態記入部は、便状態に応じた複数の区分から選択して記入できるように構成されているため、便状態を簡単に記入することができる。前記複数の区分に対応して、各状態の便を表現した図形が前記便状態記入部と並んで配置されているため、選択すべき便状態の区分を的確かつ簡単に判断することができる。前記複数の日付記入部が横方向に並んで配置され、前記複数の区分に対応した複数の記号が縦方向に並んで配置されているため、便状態を日毎に記入しやすいレイアウトとなっている。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】実用新案登録請求の範囲
【補正対象項目名】全文
【補正方法】変更
【補正の内容】
【実用新案登録請求の範囲】
【請求項１】
患者の栄養と消化の状態を記入するための医療用記録シートであって、
横方向に並んで配置される複数の日付記入部と、
前記複数の日付記入部の下部に設けられ、日毎に便状態を記入するための複数の便状態記入部と、を備え、
前記便状態記入部は、便状態に応じた複数の区分から選択して記入できるように構成されるとともに、
前記複数の区分に対応して、各状態の便を表現した図形が前記便状態記入部と並んで配置されており、
前記複数の区分に対応した複数の記号が、縦方向に並んで配置されている、
ことを特徴とする医療用記録シート。
【請求項２】
請求項１記載の医療用記録シートにおいて、
注入した栄養食の量を日毎に記入するための複数の栄養食量記入部を備える、
ことを特徴とする医療用記録シート。
【請求項３】
請求項１又は２記載の医療用記録シートにおいて、
前記便状態記入部は、１日につき複数回分の便状態を記入できるように構成されている
ことを特徴とする医療用記録シート。
【請求項４】
請求項１〜３のいずれか１項に記載の医療用記録シートにおいて、
便状態に関する前記複数の区分を説明した便状態区分説明部を備える、
ことを特徴とする医療用記録シート。
【請求項５】
請求項４記載の医療用記録シートにおいて、
前記便状態区分説明部は、前記便状態記入部に近接して、前記便状態記入部よりも下方に配置されている、
ことを特徴とする医療用記録シート。
【請求項６】
請求項１〜５のいずれか１項に記載の医療用記録シートにおいて、
便状態に基づいて決定された便状態関連指数を日毎に記入するためのグラフ記入部を備える、
ことを特徴とする医療用記録シート。
【請求項７】
請求項６記載の医療用記録シートにおいて、
前記グラフ記入部には、前記便状態関連指数の目標領域が設定されている、
ことを特徴とする医療用記録シート。